(57)【要約】      （修正有）【課題】天板を水平に開き、或いは折り畳む作業中に、隙間に指を挟むことがなく、左右に長い天板を開閉する場合でも操作レバーを回動するためにその都度移動しなくても済み、かつ操作性に優れた折り畳み机を提供する。【解決手段】左右の脚の間に梁３を架設するとともに、この梁の両端近傍に軸受７を夫々固設し、かつ、天板の裏面に左右の前後ケタ２２及び前後の左右ケタを略矩形枠状に固設するとともに、前後ケタに枢軸を固設し、前後ケタが、枢軸を介して軸受に枢支され、天板が枢軸を支軸として傾動する。【選択図】図８
0003170965.tif 000002
【実用新案登録請求の範囲】
【請求項１】
左右の脚の間に梁を架設するとともに、この梁の両端近傍に軸受を夫々固設し、
かつ、天板の裏面に左右の前後ケタ及び前後の左右ケタを略矩形枠状に固設するとともに、
前記前後ケタに枢軸を固設し、
前記前後ケタが、前記枢軸を介して前記軸受に枢支され、
前記天板が、前記枢軸を支軸として傾動することを特徴とする折り畳み机。
【請求項２】
前記前後ケタに、
前記枢軸として後方の第２枢軸を固設するとともに、他に前方の第１枢軸を固設し、
前記第１枢軸に、ラッチ体が枢支されるとともに、このラッチ体の前方先端に操作レバーが延設され、
前記第１枢軸に捩りバネが設けられ、
かつ、左右の前記ラッチ体の間にレバーシャフトを架設し、
前記軸受に前方の第１ピン及び後方の第２ピンが固設され、
かつ、前記ラッチ体に前方の第１溝及び後方の第２溝が刻設され、
前記第１枢軸を支軸として左又は右の前記操作レバーを回動することによって、その回動力がレバーシャフトを介して他方の前記ラッチ体に伝達されるとともに、
前記捩りバネの付勢力に抗して前記第１枢軸を支軸として前記ラッチ体が回動し、
同時に、前記第１ピン又は前記第２ピンに、前記第１溝又は前記第２溝が係止され、
前記天板が傾動停止することを特徴とする請求項１記載の折り畳み机。
【請求項３】
前記前後ケタの外側にカバーを覆設することを特徴とする請求項１記載の折り畳み机。
【請求項４】
前記天板の裏側に棚を設けることを特徴とする請求項１記載の折り畳み机。
【考案の詳細な説明】
【技術分野】
【０００１】
この考案は、天板を折り畳んで省スペース収納を可能にした折り畳み机であって、天板を水平に開き、或いは起立させて折り畳む作業を安全に行うことができる折り畳み机に関する。詳しくは、天板を水平に開き、或いは起立させて折り畳む際に、突然天板が傾動して部品の隙間に指を挟むことの無いように、バネの付勢力によって確実に天板の傾動を途中で停止させるようにした折り畳み机に関する。
【背景技術】
【０００２】
従来、事務机、座卓、経机等は通常は天板の裏側に固定の脚が設けられており、立ち机又は座り机として専用されている。しかしながら、このような固定脚を有する机は、机を使用しないときには脚の長さ及び天板の広さ分収納スペースを余分に必要とする。収納スペースを確保できない場合は、机のために他の物を収納することできず、或いは事務所、展示場、又は居住の空間を狭めることになる。他に、運搬通路が狭い場合、立ち机の脚が嵩張るため壁等にぶつけて傷付けることもある。
【０００３】
従来の折り畳みフライト机の例を図１２に示す。天板が矩形状の折り畳み机Ｔの例である。図（ａ）では立脚して立ち机として使用する状態を示し、四本の脚５の上に折り曲げ自在にヒンジや蝶番を介して天板が設けられる。天板は左右中央の天板の対向端面間の隙間Ｓを境に左右に天板１、１に分割される。同図（ｂ）では、天板１を隙間Ｓの部位から折り畳み、四本の脚５を左右の天板１、１の間に挟んだ状態を示す。このように、立ち机として使用しないときは、天板を折畳んでコンパクトに収めることができるので収納スペースが少なくて済む。この折り畳み机は、事務所、展示場又はレストラン等で使用される。
【０００４】
用済み後は天板を起立させて折り畳み収納する机の他の例を説明する。この天板を折り畳む機構の要部を図１３に示す。図の左側は、天板１を水平にして机として使用する状態における、傾動機構の断面図である。天板１の裏側にケタ２を固設し、天板１を折り畳み或いは起立させる機構としてラッチ体６１や軸受７を設ける。折り畳み机の脚部の上端近傍に梁３の端部が固設され、この梁３に軸受７が固設される。そして、第２枢軸２２２が、チャンネル形状のケタ２及びこの間に挟装された軸受７を貫通してケタ２に固設される。一方、軸受７は、梁３に固設されているので、ケタ２は第２枢軸２２２を介して軸受７に枢支されていることになる。ラッチ体６１は、操作レバー（図示無し）の延長上に一体的に形成され、天板を水平に開き、起立させ、或いは傾動を停止させる機能を有する。また、他の第１枢軸２２１はケタ２に固設され、ラッチ体６１は第１枢軸２２１を介してケタ２に回動自在に枢支される。そして、軸受７に操作レバー６側の第１ピン７１と第２ピン７２が固設され、ラッチ体６１に操作レバー６側の溝６１０が設けられる。左側図のように天板１が水平状態では、溝６１０が第２ピン７２の凹みに嵌まって係止されるので、ケタ２が水平を保ち、その上に固着された天板１が水平を保ち、机として使用できる。次に、天板を起立させた状態を右側に示し、天板を傾動させる機構の断面図である。操作レバーを回動し、溝６１０の凹みを第２ピン７２から外しながら、天板１を起立させると、天板１は第２枢軸２２２を支軸として回動し、更に起立する。そして、図示のように溝６１０の凹みが第１ピン７１に係止されて傾動が停止する。このようにして、天板が水平な左図の状態から起立して右の図のように折り畳んだ状態になる。このような動作の過程で、天板は水平状態から一気に約６０度回動して停止する。逆に、天板を水平に開く時は逆の操作をすればよく、天板は起立状態から一気に約６０度回動して水平になって停止する。このように、天板は水平状態から起立状態へと広範囲に傾動するので、天板の傾動が速く作業する人にとって危険である。特に、天板を水平に開く時は、操作レバーを回動すると天板の傾動が自重によって加速されるので、作業者にとっては危険を伴う。例えば、作業者が操作レバーを握る他方の手は遊んでいるので、棚、或いは、ケタ、ラッチ体、操作レバー、捩りバネ等の部品との隙間に他方の手、指を挟む恐れがある。
【０００５】
その他にも、折り畳み、拡開が簡単な折り畳み机が知られている（例えば、特許文献１）。特許文献１の折り畳み机は、連結手段で折り畳み且つ展開自在に連結された複数の板部材からなる天板と、これら天板の下部へ折り畳み可能に中心の板部材に各々取り付けられる一対の机用脚構造とから構成されている。そして、それぞれ一対の机用脚構造は、２本の脚からなり、一端が一方の脚に固定され、他端が他方の脚に摺動可能に取り付けられる部材が、対称的に２本の脚に取り付けられるリンク構造により、それぞれ脚は、略平行状態の閉脚状態と、上端が近接したまま、かつ着地部分が離れる開脚状態との間で開閉可能に構成されている。
【先行技術文献】
【特許文献】
【０００６】
【特許文献１】特許第３５９９７２４号公報
【考案の概要】
【考案が解決しようとする課題】
【０００７】
以上の通りであって、特許文献１に代表されるように、従来の折り畳み机には、まとめると以下のような問題点がある。
【０００８】
従来の折り畳みフライト机では、天板を真ん中から左右に開いて一重のロックをする。この場合、ロックが一重なので振動によってロックが外れて天板に載った物が落下する恐れがあった。また、天板を真ん中から左右に開く際に、途中で開きが止まるストッパー機能が無い。そのため、一気に天板が左右に開いて左右の天板の隙間が狭まり、この隙間に指を挟む恐れがあった。その他、天板のサイズが大きい場合、操作レバーの元にその都度移動しないと、机の開閉操作をできなかった。換言すると、机として用済み後、左右の天板を隙間の部位から折り畳んで垂直状態にしたり、あるいは立ち机として使用するために左右の天板を水平状態にしたりする必要から、これらの作業中に二つ割りの対向隙間に指を挟んで思わぬ怪我をしてしまうという問題があった。その他の例では、天板を起立させ、或いは天板を水平に開く作業のために、安全を考慮して直接手を使うことの無いように、操作レバーを設けて片手で操作する。その際に、天板の自重によって傾動が加速され、或いは、天板の広範囲の傾動に対応できず、棚、或いは、ケタ、ラッチ体、操作レバー、捩りバネ等部品の隙間に手、指を挟んでしまい、思わぬ怪我をしてしまうという問題があった。以上のように、製造者責任のＰＬ法に基づく安全基準を遵守する配慮に欠け、折り畳机を使用する人の安全を守ることができなかった。
【０００９】
そこで、本考案の折り畳み机は、このような従来の抱える問題点を解決するためになされたもので、天板を水平に開き、或いは折り畳む作業中に、天板の傾動を一時停止させるためにストッパーの機構を設けることによって、天板と棚、或いは、ケタ、ラッチ体、操作レバー等の隙間に指を挟むようなことの無い構成にし、かつ、操作レバーを左右に夫々設けることによって、左右に長い天板を開閉する場合でも操作レバーを回動するためにその都度移動しなくても済むようにし、ＰＬ法に基づく安全基準を遵守した安全、かつ操作性に優れた折り畳み机を提供することを目的としている。即ち、天板を水平に開き、或いは起立させて折り畳み作業をする際に、天板と各種部品間に手や指を挾さんで思わぬ怪我をすることの無いように、一時停止用のストッパー機構を設けることによって、ＰＬ法に基づく安全基準を遵守した安全、かつ操作性に優れた折り畳み机を提供することを目的とする。
【課題を解決するための手段】
【００１０】
そこで、本考案者等は、天板を水平に開き、或いは起立した折り畳む作業を行う際に、途中で傾動を一時停止するストッッパー機能を設けることに着目し、この着想に基づき天板を水平に開き、或いは起立させて折り畳む作業を安全に行うことができるという知見を得た。本考案の折り畳み机はかかる知見を基に具現化したもので、請求項１の考案は、左右の脚の間に梁を架設するとともに、この梁の両端近傍に軸受を夫々固設し、かつ、天板の裏面に左右の前後ケタ及び前後の左右ケタを略矩形枠状に固設するとともに、前記前後ケタに枢軸を固設し、前記前後ケタが、前記枢軸を介して前記軸受に枢支され、前記天板が前記枢軸を支軸として傾動することを特徴とする折り畳み机である。請求項２の考案は、請求項１の特徴に加えて、前記前後ケタに、前記枢軸として後方の第２枢軸を固設するとともに、他に前方の第１枢軸を固設し、前記第１枢軸に、ラッチ体が枢支されるとともに、このラッチ体の前方先端に操作レバーが延設され、前記第１枢軸に捩りバネが設けられ、かつ、左右の前記ラッチ体の間にレバーシャフトを架設し、前記軸受に前方の第１ピン及び後方の第２ピンが固設され、かつ、前記ラッチ体に前方の第１溝及び後方の第２溝が刻設され、前記第１枢軸を支軸として左又は右の前記操作レバーを回動することによって、その回動力がレバーシャフトを介して他方の前記ラッチ体に伝達されるとともに、前記捩りバネの付勢力に抗して前記第１枢軸を支軸として前記ラッチ体が回動し、同時に、前記第１ピン又は第２ピンに、前記第１溝又は第２溝が係止され、前記天板が傾動停止することを特徴とする折り畳み机である。請求項３の考案は、請求項１の特徴に加えて、前記前後ケタの外側にカバーを覆設することを特徴とする折り畳み机である。請求項４の考案は、請求項１の特徴に加えて、前記天板の裏側に棚を設けることを特徴とする折り畳み机である。
【考案の効果】
【００１１】
本考案の折り畳み机によると、天板を水平に開き、或いは、起立させて折り畳む際に、天板の傾動を一時停止するためのストッッパー機構を設けたので、天板と棚、或いは、ケタ、ラッチ体、棚等部品の隙間に指を挟む恐れが無く、ＰＬ法に基づく安全基準をクリヤーすることができた。また、天板の操作レバーを左右に夫々設けたので、長いサイズの天板を傾動させる場合、その都度左右へ移動しなくても一方側から操作レバーを動かすことができ、使い勝手が良い。
【図面の簡単な説明】
【００１２】
【図１】本考案に係る折り畳み机における、天板を水平に開いた状態を天板の裏側から見た全体斜視図である。
【図２】同上、天板を起立させて折り畳んだ状態を天板の裏側から見た図である。
【図３】同上、天板を折り畳み、或いは起立させるための操作レバーの他、これと天板とを連結する機構を示す図である。
【図４】同上、天板を折り畳んだ状態を側方から見た図である。
【図５】同上、天板を折り畳み、或いは起立させるための操作レバー及び、レバーシャフトとの連結機構を示す図である。
【図６】同上、ラッチ体の回動を制止するための捩りバネを示す図である。
【図７】同上、天板を水平に開いた状態におけるラッチ体の機能を説明する図である。
【図８】同上、天板を起立させて折り畳む途中で、傾動を一時停止させた状態におけるラッチ体のストッパー機能を説明する図である。
【図９】同上、天板を起立させて折り畳んだ状態におけるラッチ体の機能を説明する図である。
【図１０】同上、天板裏側の棚を開閉する機構を示す図である。
【図１１】同上、操作レバーの外側に安全カバーを設けた図である。
【図１２】従来例に係る折り畳みの全体斜視図である。
【図１３】同上、ラッチ体の機能を説明する図である。
【考案を実施するための形態】
【００１３】
本考案の実施の形態を、添付図面に示した本考案の実施例に基づいて以下に具体的に説明する。
【実施例１】
【００１４】
先ず、本考案の実施例について、図１〜図１１を参照しながら説明する。図１は、折り畳み机の天板を水平に開いた状態を天板の裏側から見た全体斜視図である。図２は、天板を起立させて折り畳んだ状態を天板の裏側から見た図である。図３は、天板を折り畳み、或いは起立させるための操作レバーの他、これと天板とを連結する機構を示す図である。図４は、天板を折り畳んだ状態を側方から見た図である。図５は、天板を折り畳み、或いは起立させるための操作レバー及び、レバーシャフトとの連結機構を示す図である。図６は、ラッチ体の回動を制止するための捩りバネを示す図である。図７は、天板を水平に開いた状態におけるラッチ体の機能を説明する図である。図８は、天板を起立させて折り畳む途中で、傾動を一時停止させた状態におけるラッチ体のストッパー機能を説明する図である。図９は、天板を起立させて折り畳んだ状態におけるラッチ体の機能を説明する図である。図１０は、天板裏側の棚を開閉する機構を示す図である。図１１は、操作レバーの外側に安全カバーを設けた図である。以下、折り畳み机の天板を水平に開いた状態において、天板の長辺に沿って左右方向と称し、天板の短辺に沿って前後方向と称し、脚と天板の方向を上下方向と称する。
【００１５】
本実施例の折り畳み机の全体構造について図１を参照しながら説明する。本図は、天板を水平にして机として使用する状態を示し、天板の裏側から見たものである。折畳み机Ｔは、矩形状の木製の化粧板からなる天板１を有し、用済み後はこの天板１を手前下側へ倒して折り畳むことができる。天板１は左右方向の長手寸法に比して前後方向の幅寸法が小さい。天板１の左右端近傍に二本の脚５を立設し、夫々が途中で人の字状に二股に分かれるので四本脚として座りが安定である。天板１の裏面において、この外回り寸法より一回り小さいケタ２が廻り、このケタ２は天板１の長辺に沿って前後の左右ケタ２１、２１及び短辺に沿って左右の前後ケタ２２、２２から構成され、これらのケタは天板１の裏面に略矩形枠状に一体的に固設されている。そして、天板１の裏側の後方において、左右の脚５、５の間に梁３が架設されており、夫々の基脚５１、５１の上端近傍に梁３の両端が固設され、かつ、この梁３の両端近傍の基脚５１、５１の内側に軸受７、７が固設される。そして、前後ケタ２２の後方寄り部が、一方の枢軸を支軸として軸受７に回動自在に枢支される。一方、ラッチ体６１が、他方の枢軸を支軸として前後ケタ２２の前後略真ん中部に回動自在に枢支され、ラッチ体６１の前方側先端には操作レバー６が一体的に延設される。
【００１６】
次に、天板を起立させて折り畳み、天板の裏側から見た状態を図２に示し、以下に天板の裏側を構成する梁、棚、操作レバー他について説明する。天板１の裏面において、これより一回り小さい略矩形枠状のケタ２が廻り、このケタ２は天板１の長辺に沿って左右ケタ２１、２１及び短辺に沿って前後ケタ２２、２２から構成される。一方、天板１の後方において左右の脚５、５の間に梁３が架設され、夫々の基脚５１、５１の上端近傍にこの梁３の両端が固設されるとともに、この梁３の両端近傍において基脚５１、５１の内側に軸受７、７が固設される。そして、前後ケタ２２の後方寄り部が、一方の枢軸を支軸として軸受７に回動自在に枢支される。一方、ラッチ体６１は、前後ケタ２２の前後略真ん中部において、他方の枢軸を支軸として回動自在に枢支される。ここで、天板１を折り畳み或いは起立させる機構（後述の図５参照）として、折り畳み机の右方端の操作レバー６、ラッチ体６１、軸受７等が、左右両端部に設けられる。他に、左右のラッチ体６１、６１の間にレバーシャフト６２が架設され、左右どちら側からでも操作レバー６を操作することができる。その他、天板１の裏側に棚４が設けられ、天板１が水平に開くと同時に連動して手前側へ水平に開く。棚４は、長手方向の左右棒４１、４１とこれに直角方向の前後棒４２、４２とによって略矩形状に構成される。前後棒４２の後方寄りにおいて、前後棒４２は棚支軸を介して軸受７に回動自在に枢支される。一方、前後棒４２の前方寄り部はローラー４３、腕４４、ローラー４５及び棚支軸を介して前後ケタ２２に回動自在に枢支される。
【００１７】
次に、天板を回動させるための操作レバー及び、これと天板とを連結する他のリンク機構を天板の裏側から見た状態を拡大して図３に示し、操作レバーと連結関係について説明する。左右の基脚５１、５１の間に架設された梁３の右端近傍を同図に示し、基脚５１の内側に軸受７の下部が固設される。そして、ラッチ体６１が、前後ケタ２２の前後略真ん中部において、他方の枢軸を介して回動自在に枢支される。一方、前後ケタ２２の後方寄り部は、一方の枢軸を介して軸受７に回動自在に枢支される。
【００１８】
図４では、天板を起立させて折り畳み、側方から見た状態を示す。図の右側が天板１の表面であり、裏面にケタ２の前後ケタ２２が固着される。天板１の後方側に脚５が立設され、この基脚５１の上端近傍裏側に図示しない梁の端部が固設される（図１参照）。この梁に軸受７が固設され、前後ケタ２２の後方寄り部は、一方の枢軸を介して軸受７に回動自在に枢支される。一方、ラッチ体６１は、前後ケタ２２の前後略真ん中部において、他方の枢軸を介して回動自在に枢支される。なお、左右のラッチ体６１の間にレバーシャフト６２が架設され、この先端部を示している。
【００１９】
以上、図３、４において説明した天板裏のケタ、軸受、ラッチ体他の相互の連結関係について、更に図５を参照しながら詳細を説明する。図５は天板を起立して折り畳んだ状態で、天板を回動させる操作レバー、レバーシャフト、ラッチ体、軸受他との連結機構の詳細を示す。基脚５１の上端近傍において梁３の端部に軸受７が固設される。そして、チャンネル溝状の前後ケタ２２及びこの中に挟装された軸受７を貫通して後方の第２枢軸２２２が固設され、前後ケタ２２の後方寄り部がこの第２枢軸２２２を支軸として回動自在に枢支される。一方、前後ケタ２２の前後略真ん中部に前方の第１枢軸２２１が固設され、ラッチ体６１がこの第１枢軸２２１を支軸として回動自在に枢支される。なお、左右のラッチ体６１、６１の間にレバーシャフト６２が架設される。ここで、前後ケタ２２において、操作レバー側で前方に位置する軸を第１枢軸と称し、反対側の後方に位置する軸を第２枢軸と称する。
【００２０】
図６では、ラッチ体の回動を制動する捩りバネの取付け状態を示す。前後ケタ２２がチャンネル形状の溝を図の手前側に向けて、天板１の裏面に固設されている。そして、前後ケタ２２に第１枢軸２２１が固設され、この第１枢軸２２１に捩りバネ８が設けられ、捩りバネ８の一方端８１はチャンネル状の前後ケタ２２の溝底に当接するともに他方端８２はラッチ体６１固定される。ラッチ体６１は、前後ケタ２２のチャンネル状の溝に挟まれるように収まり、捩りバネ８によってその回動が制動される。即ち、捩りバネ８の付勢力によって、第１枢軸２２１を支軸とするラッチ体６１の回動が抑さえられる。こので、捩りバネ８は、図示のように第１枢軸２２１が捩りバネ８の穴を貫通して設けられている。
【００２１】
以上、本実施例における天板を傾動させるためのケタ、軸受、ラッチ体、操作レバー他は左右対称に構成され、以下に、先ずラッチ体の作用について説明する。図７では、天板を水平にして机として使用する状態のラッチ体周りの構成を示し、以下にこの機能について説明する。図示しない脚の上端近傍に梁３の端部が固設されるとともに、この梁３に軸受７が固設される（図１参照）。軸受７は、チャンネル形状の前後ケタ２２の溝の間に挟装され、かつ、この軸受７を貫通して、外側の前後ケタ２２に第２枢軸２２２が固設される。ここで、軸受７は梁３に固設されているので、天板１を含めた前後ケタ２２は、この後方の第２枢軸２２２を介して軸受７に回動自在に枢支されていることになる。一方、前方の第１枢軸２２１も前後ケタ２２に固設され、ラッチ体６１はこの第１枢軸２２１を介して前後ケタ２２に回動自在に枢支されていることになる。このような構成によって、天板１は基脚５１に固定された軸受７に支えられ、第２枢軸６１２を介して回動し、傾動する。その他、軸受７に操作レバー６側前方の第１ピン７１と後方の第２ピン７２が固設される。また、これらの位置に夫々対応するように、ラッチ体６１には操作レバー６側前方の第１溝６１１と後方の第２溝６１２が刻設されている。図示の天板が水平状態では、第２ピン７２が第２溝６１２の凹みに嵌まって係止されるので、第２枢軸２２２を支軸として前後ケタ２２が水平を保ち、同時にその上に固着された天板１が水平状態を保つので机として使用できる。なお、左右の軸受７の間にレバーシャフト６２が架設され、折り畳み机の長手左右方向へ延びる。
【００２２】
図８では、天板を起立し折り畳む途中において、傾動を一時停止させた状態を示す。第１枢軸２２１に貫設された戻りバネ８（図６参照）による付勢力に抗して操作レバー６を、第１枢軸２２１を支軸として矢印Ａ方向に動かすと同時に、第２ピン７２を第２溝６１２の凹みから外しながら、天板１を矢印Ｂ方向に持ち上げると、天板１は第２枢軸２２２を支軸として更に矢印Ｂ方向へ起き上がる。次いで、図示のように第１溝６１１の凹みが第１ピン７１に嵌まって係止され、天板の矢印Ｂ方向への動きが止まる。この状態において、天板１は図７の位置から約３０度起立している。このように、天板１が起立する途中で天板の強制的に傾動が停止される。ここで、図６において前述したように、前後ケタ２２に第１枢軸２２１が固設され、この第１枢軸２２１が捩りバネ８を貫通し、捩りバネ８の一方端８１はチャンネル状の前後ケタ２２の溝底に当接するともに他方端８２はラッチ体６１固定される。このため、ラッチ体６１には、捩りバネ８の付勢力に抗して第１枢軸２２１を支軸とする制動力が作用する。即ち、ラッチ６１には捩りバネ８の付勢力によって矢印Ａと反対方向の回動力が作用するので、一旦係止されたまま第１溝６１１の凹みは第１ピン７１から外れることはない。そのため、天板１は、約３０度の傾斜位置で強制的に停止された状態を維持する。操作レバー６を回動して天板を傾斜させる途中で、第１溝６１１が第１ピン７１に係止される。この作用は、天板の傾動を一時停止するストッパーの機能を意味する。天板が大きく傾動して起立する前に天板の動きが一旦止まり、天板の急な動きが抑制されるので操作レバーを安全に回すことができる。即ち、天板の急な動きが途中で停止されるので、操作する人が天板の急な動きに伴って体を持っていかれるようのこともなく、安全に作業をすることができる。同時に、作業者が操作レバーを握る他方の手は遊んでいても、棚、或いは、ケタ、ラッチ体、操作レバー、捩りバネ等の部品との隙間に他方の手、指を挟むようなことも無く、怪我を未然に防ぐことができる。
【００２３】
図９では、天板を起立させて折り畳んだ状態を示す。図８における、天板の途中停止状態から操作レバー６を再び矢印Ａ方向に回動し、第１ピン７１を第１溝６１１の凹みから外しながら、天板１を更に矢印Ｂ方向へ押すと、天板１は第２枢軸２２２を支軸として矢印Ｂ方向へ回動する。そして、図示のように第２溝６１２の凹みが第１ピン７１に嵌まって係止され、矢印Ｂ方向への動きが止まる。天板１は、図８の位置から更に約３０度起立する。以上のように、天板が水平な図７の状態から約３０度傾斜して一旦停止する図８の状態を経て、図９のように天板が更に３０度起立して折り畳んだ状態になる。この状態では、ラッチ６１には捩りバネ８の付勢力によって矢印Ａと反対方向の回動力が作用するので、一旦係止された第２溝６１２の凹みは第１ピン７１から外れることはない。そのため、天板１は、起立した位置を保持する。このような一連の動作の過程で、途中で一旦天板の傾動が強制的に停止されるので、天板の大きな傾動が抑えられて作業を安全に行うことができる。逆に、天板を水平に開く時は、前述した図７、図８、図９の逆の操作をすればよく、この場合も途中一端傾動が停止するので作業を安全に行うことができる。特に、天板を起立状態から水平に開く場合は、天板の傾動が自重に追随して加速されるようなこともなく、途中、天板の傾動が一旦停止されるので操作レバーを安全に操作することができる。ここで、方向を定義し、操作レバー６側の前方に位置する枢軸を第１枢軸と称し、反対側の後方に位置する枢軸を第２枢軸と称する。同様に、操作レバー６側の前方に位置するピンを第１ピンと称し、反対側の後方に位置するピンを第２ピンと称する。また、操作レバー６側の前方に位置する溝を第１溝と称し、反対側の後方に位置する溝を第２溝と称する。
【００２４】
操作レバーを回わすことによって、天板裏の棚も天板の動きに連動して起立し、折り畳まれる。図１０に示すように、棚４は、長手方向の左右棒４１、これと直角方向の前後棒４２他によって、略矩形枠状に構成される。前後棒４２の後方端部は、棚支軸４２１を介して軸受７に枢支される。一方、前後棒４２の前方部は、ローラー４３、腕４４、ローラー４５を経て、前後ケタ２２に連結される。詳しくは、前後棒４２の後方部に棚支軸４３１が固設され、この外周に円筒状のローラー４３が回動自在に嵌まる。一方、前後ケタ２２に棚支軸４５１が固設され、この外周に円筒状のローラー４５が回動自在に嵌まる。そして、ローラー４３とローラー４５とが腕４４によって連結される。即ち、円筒状のローラー４３は中の棚支軸４３１を支軸として回動し、同様に、円筒状のローラー４５は中の棚支軸４５１を支軸として回動する。第１枢軸２２１を支軸として操作レバー６を矢印Ａ方向に回動し（図９参照）、第１ピン７１を第２溝６１２の凹みから外しながら天板１を図の手前矢印Ｄ方向に引くと、起立状態の棚４が手前に倒れながら、第１ピン７１が第１溝６１１の凹みに係止され、棚４の傾動が一旦停止する。次いで、再び操作レバー６を矢印Ａ方向に回動し、第１溝６１１の凹みを第１ピン７１から外しながら、更に天板１を矢印Ｄ方向に引くと、棚４が更に倒れ、第２溝６１２の凹みが第２ピン７２に嵌まって係止され、棚４の傾動が停止する。このまま、棚４は水平状態を保つ（図７、８、９参照）。
【００２５】
天板の裏側において、操作レバー６が左右の前後ケタ２２に回動自在に設けられる。図２に示すように、操作レバー６が左右両側に設けられ、かつ、左右のラッチ体６１、６１の間にレバーシャフト６２が架設される。そのため、左右どちらからでも操作レバー６を動かして、天板を水平に開き、或いは起立させ折り畳むことができる。同時に、天板の動きに連動して裏の棚も水平に開き、或いは起立させ折り畳むことができる。
【００２６】
使用後は、天板を起立させて折り畳み机を収納する。図４に示すように、天板１の裏側の操作レバー６とラッチ体６１の一部が、チャンネル形状の前後ケタ２２の溝の中へ沈むように構成される。従って、天板を起立させ折り畳んだ状態では、天板１とその裏側の操作レバー６、棚４の前後棒４２、軸受７を含む最大の寸法Ｌを薄くすることができる。多数台の折り畳み机を収納する際に、夫々の脚同士が交互に間に入るようにして重ねると、天板と脚までの幅寸法をかせぐことができ、折り畳み机を狭いスペースに多数台を収めることができる。
【００２７】
図１に示すように、天板１の左右端近傍に、二本の脚５を設け、夫々が途中で人の字状に二股に基脚５１と補助脚５２とに分岐するので脚５の座りが安定する。そして、基脚５１と補助脚５２には、夫々キャスター５３を設けるので折り畳み机を移動する際に楽である。更に、補助脚５２には、脚元にアジャスタ５４を設けたので、床に多少の凸凹があっても高さを微調整して天板の揺れ又はガタつきを小さくすることができる。
【００２８】
天板を折り畳み又は起立させるために、操作レバーを回わすと、周囲の前後ケタ２２、ラッチ体６１、レバーシャフト６２、棚４の前後棒４２等が連動する。これらの部品は複雑にリンク結合して動くので、これらの部品の間には指が入る程度の隙間が多数箇所に形成される（図５参照）。そこで、天板１を水平に開き、或いは起立させて折り畳む操作中に、指先を隙間に挟む恐れが無いように、図１１に示すように前後ケタ２２の外側にカバー９を覆設する。このことによって、指が入る程度の隙間が目隠しされるので、天板を水平に開き、或いは起立させて折り畳む作業を安全に行うことができる。
【産業上の利用可能性】
【００２９】
なお、本考案の折り畳み机の使途は、事務所や店頭のカウンター等で使用する立ち机の他、デパート、スーパーマーケット等の店頭で、商品を陳列する机としても使用することができる。机として用済み後、狭いスペースに折り畳んでコンパクトにして収納することができるので便利である。
【符号の説明】
【００３０】
Ａ、Ｂ、Ｄ  矢印
Ｌ  寸法
Ｓ  隙間
Ｔ 折り畳み机
１ 天板
２ ケタ、２１  前後ケタ２２  前後ケタ
２２１  第１枢軸、２２２  第２枢軸
３  梁
４  棚、４１  左右棒、４２  前後棒
４３、４５  ローラー
４４  腕
４２１、４３１、４５１  棚支軸
５  脚、５１  基脚、５２  補助脚、５３  キャスター、５４  アジャスタ
６  操作レバー、６１  ラッチ体、６２  レバーシャフト
６１０  溝、６１１  第１溝、６１２  第２溝
７  軸受
７１  第１ピン、７２  第２ピン
８  捩りばね、８１一方端、８２  他方端
９  カバー
【図１】
0003170965.tif 000003
【図２】
0003170965.tif 000004
【図３】
0003170965.tif 000005
【図４】
0003170965.tif 000006
【図５】
0003170965.tif 000007
【図６】
0003170965.tif 000008
【図７】
0003170965.tif 000009
【図８】
0003170965.tif 000010
【図９】
0003170965.tif 000011
【図１０】
0003170965.tif 000012
【図１１】
0003170965.tif 000013
【図１２】
0003170965.tif 000014
【図１３】
0003170965.tif 000015